【事件の表示】
　特許第２９６３７９０号「パチンコ機」の特許に対する特許異議の申立てについて、次のとおり決定する。
【結　論】
　特許第２９６３７９０号の特許を維持する。
【理　由】
  特許２９６３７９０号（平成３年６月２８日出願、平成１１年８月６日設定登録。）の請求項に係る発明は、その特許請求の範囲の請求項に記載された事項により特定されるとおりの以下のものと認める。
「電気的駆動源の作動に基づいてパチンコ球を排出可能な球排出装置と、球排出指令信号に基づき上記球排出装置から所要数のパチンコ球を排出させる球排出制御手段と、を備えたパチンコ機において、
上記球排出制御手段は、
所定数のパチンコ球を排出するための上記電気的駆動源の作動時間に係わる値が設定された作動時間設定手段と、
所要の球排出指令信号に対応して上記作動時間設定手段に設定されている値に基づき上記電気的駆動源を駆動して当該球排出指令信号に対応する数のパチンコ球を排出させる駆動制御手段と、
所要の作動時間変更条件の成立に基づき、上記作動時間設定手段に設定された値を変更する設定値変更制御手段と、
を備えたことを特徴とするパチンコ機。」
  申立人は、証拠として、本件特許出願前の出願であって本件特許出願後に出願公開された甲第１号証（特願平３−１７１６３９号（特開平４−３６７６８１号）、以下「先願明細書」という。）を提出し、請求項に係る発明は、上記先願明細書記載の発明と同一であり、特許法第２９条の２第１項の規定により特許を受けることができないのものであるから、請求項に係る発明の特許を取り消すべき旨主張している。
  先願明細書には、以下の事項が記載されている。
（１）「【請求項１】電動機を駆動源とし、該電動機の回転によりパチンコ玉を順次排出するパチンコ玉排出機構と、該パチンコ玉排出機構へのパチンコ玉の供給状態または該パチンコ玉排出機構から排出されるパチンコ玉の排出状態を検出するパチンコ玉状態検出手段と、該検出されたパチンコ玉の状態に基づいて、前記パチンコ玉排出機構の回転数，トルク，回転方向，電動機への印加電圧，該印加電圧のパルス幅等の運転状態を制御する電動機制御手段とを備えたパチンコ玉の送り出し制御装置。
【請求項２】請求項１記載のパチンコ玉の送り出し制御装置であって、前記パチンコ玉検出手段により検出されたパチンコ玉の状態に基づいて、パチンコ玉の送り出しが容易な状態であるか困難な状態であるかを判断する判断手段を設けると共に、前記電動機制御装置手段には、パチンコ玉の送り出しが容易な状態ほど前記パチンコ玉排出機構の排出速度を上げ、送り出しが困難な状態ほど排出速度可変手段を備えたパチンコ玉の送り出し制御装置。」（特許請求の範囲）、
（２）「本発明はパチンコ玉の送り出し制御装置に関し、詳しくは電動機を駆動源としてパチンコ玉を順次送り出すパチンコ玉の送り出し制御装置に関する。」（第１欄第２２〜２５行）、
（３）「電動機の運転状態の制御は、例えばその回転速度を可変するものとし、パチンコ玉検出手段により検出されたパチンコ玉の状態に基づいて、パチンコ玉の送り出しが容易な状態であるか困難な状態であるかを判断する判断手段を設け、パチンコ玉の送り出しが容易な状態ほどパチンコ玉排出機構の排出速度を上げ、送り出しが困難な状態ほど排出速度を低下することにより実現することができる。同様に、パチンコ玉排出機構のトルクや電動機への印加電圧，そのパルス幅などを、パチンコ玉の送り出しが容易か困難かにより可変することも差し支えない。」（第２欄第２２〜３２行）、
（４）「本発明のパチンコ玉の送り出し制御装置はパチンコ玉状態検出手段により、電動機の回転によってパチンコ玉を順次排出するパチンコ玉排出機構へのパチンコ玉の供給状態またはパチンコ玉排出機構から排出されるパチンコ玉の排出状態を検出する。検出されたパチンコ玉の状態に基づき、電動機制御手段パチンコ玉排出機構の回転数，トルク，回転方向，電動機への印加電圧，該印加電圧のパルス幅等の運転状態を制御する。この結果、パチンコ玉排出機構は、パチンコ玉の供給状態や排出状態に基づいて、確実に送り出される。」（第２欄第３４〜４４行）、
（５）「送り出し装置２０は、図３，図４に示すように、上下に開口した中空の角筒体形状のケース２９を有し、その内部の導出樋１２の下端に対応した位置に、２列の玉通路３１，３２を備える。また、ケース２９の内部には、ケース２９の壁面に両端が支持された横軸３５が設けられ、この横軸３５に２つの玉切り円盤４１，４２が連結筒部４３により一体かつ横軸３５に対して回転自在に軸支されている。・・・
各玉切り円盤４１，４２は、外周の１３箇所に半円状の切欠Ｐａを有する２枚のスプロケット４４と、このスプロケット４４を両側に固定したブラケット４５とから構成されている。玉切り円盤４１，４２は、その外周が、図４に示すように、玉通路３１，３２の内部に臨む位置に設けられている。また、スプロケット４４の外周に設けられた切欠Ｐａの径が、パチンコ玉とほぼ同一であることから、玉切り円盤４１，４２が回転すると、玉通路３１，３２内のパチンコ玉Ｂは一つずつ、放出樋２６へと送り出されることになる。なお、玉切り円盤４１，４２は、切欠Ｐａのピッチのちょうど１／２だけずれた回転位置で互いに固定されており、パチンコ玉の送り出しは、交互になされる。」（第４欄第２〜２２行）、
（６）「２組の玉切り円盤４１，４２を連結する連結筒部４３の外周には、ウオーム歯車４６が固定されている。このウオーム歯車４６には、これを駆動するウオーム４７が噛み合わされている。このウオーム４７が取り付けられた軸４９は、一端がケース２９の外壁に回転自在に軸支され、他端がステッピングモータ５０の回転軸５１に固定されている。ステッピングモータ５０は、ケース２９外壁に固定されている。ステッピングモータ５０が回転すると、その回転軸５１に直結されたウオーム４７の回転を介してウオーム歯車４６が回転し、玉切り円盤４１，４２も回転する。玉切り円盤４１，４２の回転の状態を検出するために、玉切り円盤４２の一方のスプロケット４４を挟む位置に、赤外光を利用した透過型光検出器５５が設けられている。この透過型光検出器５５は、スプロケット４４の切欠Ｐａより、光が透過もしくは遮断する毎に、即ちパチンコ玉が１個送り出される毎に、パルス信号を送出する。」（第４欄第２３〜３９行）、
（７）「電子制御装置６０は、スタートスイッチ２４が入賞球を検出すると図７に示した景品球払出し処理ルーチンを実行する。このルーチンが起動されると、まず、払出し数をカウントする変数ｉに所定数Ｓを設定する処理を行なう（ステップＳ１００）。通常のパチンコ台では、変数ｉには、値７もしくは１５が設定される。その後、送り出し装置２０のステッピングモータ５０をその最小駆動速度まで制御する処理を行なう（ステップＳ１１０）。ステッピングモータ５０の起動時には大きな駆動力を必要とするので、図８に示すように、大きな駆動電力が加えられる。
　・・・続いて、所定時間ｔ１以内にパチンコ玉の払出しが検出されたか否かの判断を行なう（ステップ１２０）。最小駆動速度でステッピングモータ５０が駆動され玉切り板４１が回転してパチンコ玉が正常に送り出されると、景品球確認スイッチ１９がこれを検出するから、この信号に基づいてパチンコ玉の払出しが確認される。所定時間ｔ１以内に払出しの検出がなされた場合には、景品球の払出しの残数を示す変数ｉを値１だけデクリメントし（ステップＳ１３０）、更にパチンコ玉の払出しが正常に行なわれているとして、フラグＦｒに値０をセットする（ステップＳ１４０）。
　・・・その後、変数ｉが値０であるか否かの判断を行ない（ステップＳ１５０）、値０でない、即ちまだ払出していない景品球が残っていると判断された場合には、ステッピングモータの駆動速度が最大速度か否かを判断し（ステップＳ１６０）、未だ最高速度でないと判断した場合には駆動速度を１段階アップする処理を行なう（ステップＳ１７０）。その後、あるいは処理速度が既に最高速度に達していると判断されれば、そのままステップ１２０に戻って所定時間内に払出しが検出されるか否かの判断から処理を繰り返す。この処理により、図９に区間１として示した様に、所定時間ｔ１以内にパチンコ玉の払出しが検出されている限り、駆動速度は次第に高くなり、やがて最高速度で駆動される。その後、パチンコ玉の払出しが継続すれば、最高速度での払出しが継続される。この様子を第９図に、区間２として示した。」（第７欄第１２〜４８行）、
（８）「一方、パチンコ玉の払出しが継続できない条件が存在する。例えば、送り出し装置２０における玉詰まりや玉噛みの発生といったトラブルのみならず、景品球として払出し可能なパチンコ玉の供給が遅れ、玉補給インターロックスイッチ１５などがこうした状態を検出するといった事態などが考えられる。こうした場合には、パチンコ玉の払出しは検出できなくなり、ステップＳ１２０における判断は「ＮＯ」となる。こうして、ステッピングモータ５０を駆動しても所定時間ｔ１以内に払出しが検出できない場合には、ステッピングモータ５０の駆動速度が最低速度か否かの判断を行ない（ステップＳ１８０）、最低速度でなければ、その駆動速度を１段階ダウンする処理を行なう（ステップＳ１９０）。この結果、パチンコ玉の払出しが検出できない状態が続くと、図９に区間３として示したように、ステッピングモータ５０の駆動速度は漸減する。」（第７欄第４９行〜第８欄第１４行）、
（９）「駆動速度の低下は通常、駆動トルクの増大を結果するから、摩擦等により動きにくかったパチンコ玉の場合は駆動速度が漸減すると玉切り板４１が動きはじめ、パチンコ玉の払出しが行なわれる事が多い。この結果、パチンコ玉の払出しの検出がなされ（ステップＳ１２０）、駆動速度の増大もなされる。駆動速度を高めると駆動トルクは一般に減少するからパチンコ玉の送り出しがなされず、駆動速度は再び低下する。即ち、この状態（図９、区間４）になると、駆動速度の増大と低減が繰り返されることになる。パチンコ玉の払出しを阻害していた要因が完全に除かれれば、パチンコ玉は次々に排出される状態となり、駆動速度も上昇する。この様子を図９区間５として示した。」（第８欄第１５〜２７行）、
（１０）「パチンコ玉の排出が行なわれず、ステッピングモータ５０の駆動速度が最低速度に向けて漸減された後（図９区間６）、時間ｔ２が過ぎても払出しが検出されないと（ステップＳ１２０，１８０）、続いてフラグＦｒが値１か否かの判断行なわれる（ステップＳ２００）。通常フラグＦｒは値０に設定されているから、ステップＳ２００での判断は「ＮＯ」となり、更に時間ｔ２が経過したか否かの判断が行なわれる（ステップＳ２１０）。ステッピングモータ５０が最低速度で所定時間ｔ２だけ保持されてもなおパチンコ玉の払出が検出できない場合には、送り出し装置２０における玉詰まり等が発生したと判断して、次に時間ｔ３だけステッピングモータ５０を逆転させる制御を行ない（ステップＳ２２０）、その直後に逆転制御を行なったことを示すためにフラグＦｒに値１を設定する処理を行なう（ステップＳ２３０）。なお、ステップＳ２２０の処理により所定期間逆転制御された後、ステッピングモータ５０は、再び最低速度で正転方向に回転される。
　・・・通常であれば、噛み込みや詰まりを起こしたパチンコ玉は、ステッピングモータ５０の逆転による玉切り板４１の逆転により、詰まり等の状態が解消され、引き続くステッピングモータ５０の通常の回転（正転）により、送り出し装置２０から排出される。従って、図９に示した区間７におけるステッピングモータ５０の逆転の後、ステッピングモータ５０が正転すると、パチンコ玉の払出しが検出され（ステップＳ１２０）、景品球の残数ｉはデクリメントされ（ステップＳ１３０）、送り出し装置２０の駆動速度は次第に上昇される（図９区間８）。一方、ステッピングモータ５０を一旦逆転したあとで、なおパチンコ玉の払出しが検出できない場合には、重大な故障が発生している可能性があるとして、アラーム処理を行ない（ステップＳ２４０）、本処理ルーチンを終了する。」（第８欄第２８行〜第９欄第１０行）、
（１１）「更に、本実施例では、パチンコ玉の払出しを監視して、払出しが連続して行なわれている場合、即ち払出しの条件が良好な場合には、払出しの速度を高め、払出しができないなど払出しの条件が悪い場合には、払出しの速度を低下して駆動トルクを高め、パチンコ玉の払出しを一層確実なものとしている。また、本実施例では、駆動源にステッピングモータ５０を用いているが、ステッピングモータは、ＤＣモータと異なり、回路の短絡などにより回転し続けるといった故障は生じ難く、パチンコ玉の送り出し装置としての信頼性は高い。
　・・・なお、本実施例では、景品球確認スイッチ１９による払出しの検出に基づいて駆動速度を制御したが、玉の供給が追いつかないことを玉補給インターロックスイッチ１５により検出した場合に駆動速度を下げて景品球の払出しが途切れないものとすることもできる。この場合には、景品球の払出しが中断することがないので、遊技者に違和感を抱かせることがない。また、パチンコ台の環境、例えば温度や湿度によりパチンコ玉の払出し易さは異なるから、湿度が高いほど最大駆動速度を下げて、確実に払い出せる駆動トルクを確保するなど、最適な払出し速度に制御するといったことも可能である。」（第１０欄第３〜２４行）、
（１２）「本発明はこうした実施例に何等限定されるものではなく、例えばＤＣモータなどの他のモータを駆動源とした構成、３相以上の多相のステッピングモータを用いた構成、あるいはパチンコ玉の貸出器などパチンコ玉の数を計数する装置に用いた構成など、本発明の要旨を逸脱しない範囲において、種々なる態様で実施し得ることは勿論である。」（第１０欄第４６行〜第１１欄第２行）。
 
  請求項に係る発明（以下「前者」という。）と先願明細書記載の発明（以下「後者」という。）とを対比すると、少なくとも後者には、前者の「所定数のパチンコ球を排出するための電気的駆動源の作動時間に係わる値が設定された作動時間設定装置」「所要の作動時間変更条件の成立に基づき、上記作動時間設定手段に設定された値を変更する設定値変更制御手段」について記載されていない。
  この「作動時間設定装置」「設定値変更制御手段」に関連する事項として、後者には上記のとおり「パチンコ玉排出機構から排出されるパチンコ玉の排出状態・・・に基づき、電動機制御手段
が
　したがって、上記「作動時間設定装置」「設定値変更制御手段」について先願明細書に実質的に記載されているとはいえず、両者が同一のものであるとはいえない。
  よって、特許異議申立ての理由及び証拠によっては、請求項に係る発明の特許を取り消すことはできない。
  また、他に本件の請求項に係る発明の特許を取り消すべき理由を発見しない。
  よって、結論のとおり決定する。
【異議決定日】
平成１２年６月３０日（２０００．６．３０）